(57)【要約】【課題】  床鳴りを防止すると共に、下材１と床板２との締結力を強くすること。【解決手段】  下材１と床板２との間を木ネジ３によって締結する構造において、  その木ネジ３の先端側に先端部ネジ４を設けると共に、頭部７の付根部に首部ネジ６を形成し且つ、それらの間にネジ無し部５を設ける。そして先端部ネジ４と首部ネジ６は同一方向の螺旋条に形成し、首部ネジ６の長さを先端部ネジ４のそれより短く且つ、首部ネジ６のネジピッチを先端部ネジ４のそれより小さくする。【選択図】        図１
2006037394.tif 000002
【特許請求の範囲】
【請求項１】
根太等の下材(1) に下床板または床板(2) を木ネジ(3) で締結固定してなる床構造において、
前記木ネジ(3) は、その先端側に先端部ネジ(4) が形成されると共に、頭部(7) の付根部に首部ネジ(6) が形成され、それらの中間にはネジ無し部(5) が形成され、
両ネジ(4) (6) は同一方向の螺旋条に形成され、首部ネジ(6) の長さが先端部ネジ(4) のそれより短く且つ、首部ネジ(6) のネジピッチが先端部ネジ(4) のそれより小さいことを特徴とする床構造。
【発明の詳細な説明】
【技術分野】
【０００１】
本発明は、床や階段の床鳴りを防止する床構造に関し、その締結具として木ネジを用いるものに関する。
【背景技術】
【０００２】
床や階段の合板の下地止めにおいて、木ネジを用いる従来の構造は、図３に示す如く形成されていた。即ち、根太等の下材１上に床板２を載置し、木ネジ３によって下材１と床板２との間を締結固定していた。このとき締結当初においては、下材１は鎖線の状態にある。ところが、径年変化により下材１は痩せて鎖線の状態から実線の状態になる。すると、下材１と床板２との間に隙間ｔが生ずる。このような状態で、床板２上を人が歩くと、その通過の前後で床板２が上下し、それに伴い床鳴りが生じる。なお、このような床鳴りは、根太と床板との間に木屑が挟まった状態で床が張られ、その後に木屑が根太から落ちた場合にも起こる。
これを防止する方法として、図４に示す如く、全ネジの木ネジ３を用いることが考えられる。この場合には、床板２が外ネジ４ａに螺着されているため、床板２の下面と下材１との間に隙間が生じても床鳴りを起こすことはない。
【発明の開示】
【発明が解決しようとする課題】
【０００３】
図４に示すような全ネジ型の木ネジ３を用いて床板２と下材１との間を締結した場合、下材１が痩せて両者間に隙間ができたとしても、床鳴りが生じることはない。しかしながら、この場合には、下材１と床板２との間の締結力が図３のそれよりも小さくなる別の問題が発生する。即ち、ネジ部４ａが木ネジ３の先端から頭部７まで存在するため、図４の状態まで木ネジ３を螺着させたとき、下材１と床板２との間に締結力が働かない。これは、図３の場合と異なり、床板２内の木ネジのネジ部４ａと床板２とが常に螺着すると共に、それと下材１とも螺着され、その状態で最後までそれらの内部を木ネジ３が回転しつつ、移動するためである。従って、螺着に伴う床板２と下材１との間の締結方向の力は加わらない。そのため、下材１と床板２との間に当初から隙間が出来がちである。
【０００４】
これに対し、図３のようにネジ無し部５を有する木ネジ３の場合は、木ネジ３の螺着締結に伴って、木ネジ３に対して、下材１が相対的に床板２側に引き上げられる力が働く。その反作用として、下材１が床板２に締結される締結力が働き、両者の隙間をなくすことができる。
この木ネジ３の欠点は、同図の如く、その頭部７が床板にめり込み易いことである。それにより体裁を悪くすると共に、そのめり込み分だけ締結力が損なわれるという別の問題が生じる。更には、前記の如く、下材１が痩せたとき等に隙間ｔが生じ、床板２上を歩行するたび床鳴りが生じる欠点があった。
そこで本発明は、係る各種の問題点を全て解決することを課題とする。
【課題を解決するための手段】
【０００５】
本発明の床構造は、根太等の下材(1) に下床板または床板(2) を木ネジ(3) で締結固定してなる床構造において、
前記木ネジ(3) は、その先端側に先端部ネジ(4) が形成されると共に、頭部(7) の付根部に首部ネジ(6) が形成され、それらの中間にはネジ無し部(5) が形成され、
両ネジ(4) (6) は同一方向の螺旋条に形成され、首部ネジ(6) の長さが先端部ネジ(4) のそれより短く且つ、首部ネジ(6) のネジピッチが先端部ネジ(4) のそれより小さいことを特徴とするものである。
【発明の効果】
【０００６】
本発明の床構造は、下材１と床板２とを締結固定する木ネジ３が、同一方向の螺旋条の首部ネジ６と先端部ネジ４とを有し、それらの中間にはネジ無し部５が形成されている。そして、首部ネジ６のピッチが先端部ネジ４より小さく形成されているものである。そのため、木ネジに対して、下材１の相対的移動量と床板２のそれとが異なり、両者間に締結力が働く。  また、径年変化で下材１が痩せて、下材１の上面と床板２の下面との間に隙間ｔが生じても、首部ネジ６の存在により床なりを防止できる。何故ならば、首部ネジ６と床板２とが螺着しているため、床板２が下材１側に移動することを防止できる。
更に、首部ネジ６の存在により、螺着抵抗が大きくなり木ネジ３の頭部７が床板２表面から内部に食込みすぎることを防止できる。
【発明を実施するための最良の形態】
【０００７】
次に図面に基づいて本発明の実施の形態につき説明する。図１は本発明の床構造の縦断面図であり、図２はその木ネジ３を螺着締結する途中工程を示す縦断面図である。
この下材１と床板２との間を締結する木ネジ３は、その先端側に先端部ネジ４が形成されると共に、頭部７の付根部に首部ネジ６が形成され、それらの中間にはネジ無し部５が存在する。先端部ネジ４と首部ネジ６は同一方向の螺旋条に形成されている。首部ネジ６の長さは、先端部ネジ４のそれに比べ、著しく短く形成されている。更に、首部ネジ６のネジピッチは、先端部ネジ４のそれよりも小さく形成されている。
【０００８】
このようにしてなる木ネジ３によって床構造に形成するには、図２の如く、下材１上に床板２を載置し、木ネジ３を電動工具等によりねじ込む。そして、先端部ネジ４のほぼ全長が下材１に達し、首部ネジ６が床板２にある程度進入すると、床板２と下材１との間に締結力が加わる。これは、木ネジ３を一回転させたとき、下材１は先端部ネジ４のネジピッチ分だけ図において木ネジ３に対して相対的に上方に移動する。このとき床板２は首部ネジ６の１ピッチ分だけ図において上方に移動する。その首部ネジ６のネジピッチは先端部ネジ４のそれよりも小さく形成されているから、相対的に下材１の方が床板２より上方に移動することになり、両者間の間隔が狭まり締結力が働く。
【０００９】
即ち、先端部ネジ４のネジピッチと首部ネジ６のネジピッチとの差分に基づく締結力が下材１と床板２との間に働き、両者の隙間を完全に埋めることができる。そして、図１の如く木ネジ３の頭部７が床板２内に完全に埋設された状態において、首部ネジ６の全ての長さが床板２に螺着し、その抵抗のため首部ネジ６が床板２の表面から必要以上に下方に喰い込むことを防止する。
【００１０】
更には、首部ネジ６のピッチと先端部ネジ４のピッチとの差に基づいて下材１と床板２間に働く締結力が、木ネジ３の螺回を阻止し、必要以上に頭部７が床板２内に埋設されることを防止できる。このようにして図１の如く形成された床構造は、下材１が径年変化により痩せたり、下材１と床板２との間に木屑が予め存在し、それが抜け落ちて隙間ｔが生じても床板２と首部ネジ６とが螺着しているため、床板２上を歩行しても床板２が上下に移動したりすることがない。即ち、床鳴りを防止できる。
【００１１】
本発明者は次の実験により本発明の床構造の床鳴り防止効果を確認した。
即ち、本発明の床構造の図１において床下に隙間ｔを生じさせ、床板２上に荷重を次第に大きく加えて、床が沈み込む限界荷重を検知する。次に同様に、従来型床構造の図３において隙間ｔを生じさせ、同様に荷重を加えてその限界荷重を検知した。その結果、本発明の床構造の方が沈み込みに必要な荷重は、従来型床構造に比べて５〜６大きかった。従って、その分だけ本発明の床構造は、床板２の保持力が大きいことを示し、床鳴り防止の効果がある。
【図面の簡単な説明】
【００１２】
【図１】本発明の床構造の縦断面図。
【図２】同床構造を形成するために、木ネジ３を螺着している途中を示す説明図。
【図３】従来型の床構造の縦断面図。
【図４】同他の従来型床構造の縦断面図。
【符号の説明】
【００１３】
１  下材
２  床板
３  木ネジ
４  先端部ネジ
４ａ  ネジ部
５  ネジ無し部
６  首部ネジ
７  頭部
【図１】
2006037394.tif 000003
【図２】
2006037394.tif 000004
【図３】
2006037394.tif 000005
【図４】
2006037394.tif 000006
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
根太等の下材(1) に下床板(2) を木ネジ(3) で締結固定してなる床構造において、
前記木ネジ(3) は、その先端側に先端部ネジ(4) が形成されると共に、頭部(7) に付根部に首部ネジ(6) が形成され、
前記先端部ネジ(4) と首部ネジ(6) は同一方向の螺旋条に形成され、首部ネジ(6) の長さが先端部ネジ(4) のそれより短く且つ、首部ネジ(6) のネジピッチが先端部ネジ(4) のそれより小さいことを特徴とする床構造。
【請求項２】
請求項１において、
先端部ネジ(4) と首部ネジ(6) との間にはネジ無し部(5) が形成された床構造。
【手続補正２】
【補正対象書類名】明細書
【補正対象項目名】０００５
【補正方法】変更
【補正の内容】
【０００５】
請求項１に記載の本発明は、根太等の下材(1) に下床板(2) を木ネジ(3) で締結固定してなる床構造において、
前記木ネジ(3) は、その先端側に先端部ネジ(4) が形成されると共に、頭部(7) に付根部に首部ネジ(6) が形成され、
前記先端部ネジ(4) と首部ネジ(6) は同一方向の螺旋条に形成され、首部ネジ(6) の長さが先端部ネジ(4) のそれより短く且つ、首部ネジ(6) のネジピッチが先端部ネジ(4) のそれより小さいことを特徴とする床構造である。
請求項２に記載の本発明は、請求項１において、
先端部ネジ(4) と首部ネジ(6) との間にはネジ無し部(5) が形成された床構造である。
【手続補正３】
【補正対象書類名】明細書
【補正対象項目名】０００６
【補正方法】変更
【補正の内容】
【０００６】
本発明の床構造は、下材１と床板２とを締結固定する木ネジ３が、同一方向の螺旋状の首部ネジ６と先端部ネジ４とを有し、首部ネジ６のピッチが先端部ネジ４より小さく形成されているものである。そのため、木ネジに対して、下材１の相対的移動量と床板２のそれとが異なり、両者間に締結力が働く。
また、経年変化で下材１が痩せて、下材１の上面と床材２の下面との間に隙間ｔが生じても、首部ネジ６の存在により床なりを防止できる。何故ならば、首部ネジ６と床板２とが螺着しているため、床板２が下材１側に移動することを防止できる。
更に、首部ネジ６の存在により、螺着抵抗が大きくなり木ネジ３の頭部７が床板２表面から内部に食込みすぎることを防止できる。